(57)【要約】  【課題】各種商品を収納する透明なブリスターと台紙とからなるブリスターパッケージにおいて、商品の包装・開封作業性がよく経済的なブリスターパッケージを提供する。  【解決手段】正面視略四角形状をなし、裏面に商品を収納するための凹部２を有するブリスター３の、三つの外辺に形成した折り返し部５、６、７に台紙４を挿入してなるブリスターパッケージ１において、前記ブリスター３の三つの外辺と異なる他の一辺側に、台紙の外側に折り曲げられた段差部８が形成されている。  【選択図】図１
2005132387.tif 000002
【特許請求の範囲】
【請求項１】
正面視略四角形状をなし、裏面に商品を収納するための凹部を有するブリスターの、三つの外辺に形成した折り返し部に台紙を挿入してなるブリスターパッケージにおいて、前記ブリスターの三つの外辺と異なる他の一辺側に、台紙の外側に折り曲げられた段差部が形成されていることを特徴とするブリスターパッケージ。
【請求項２】
前記ブリスターの厚さが０．５ｍｍ以上３ｍｍ以下であるとともに、前記台紙の厚さが２ｍｍ以上５ｍｍ以下であることを特徴とする請求項１記載のブリスターパッケージ。
【発明の詳細な説明】
【技術分野】
【０００１】
本発明は、各種商品を収納する透明なブリスターに、製品説明等を記載した台紙を固定してなるブリスターパッケージに関する。
【背景技術】
【０００２】
従来、商品の外観が一目でわかるようにしたディスプレイ展示型の包装容器として、商品を収納する透明なブリスターに、製品説明等を記載した台紙を固定したブリスターパッケージが広く用いられている。このようなブリスターパッケージにおいては、ブリスターから台紙が外れないようにするため、例えば特許文献１に示されているようにブリスターと台紙とをホッチキス針で固定したり、あるいは接着剤により固定するのが一般的であった。
【特許文献１】特開平１０−１２９７２１号公報
【発明の開示】
【発明が解決しようとする課題】
【０００３】
しかし、前者のような構成の場合、包装されたブリスターパッケージを開封する場合、ホッチキス針を指先のみで外すことは難しく危険であるため、どうしてもホッチキス針を外すための冶具が必要となり不便であることに加えて、ホッチキス留めしていた部分に針穴が開いてしまうのはもちろんのこと、当該部分が変形したり、破れたりするなどして、ブリスター、台紙ともに再利用ができなくなるという問題があった。また後者においても、ブリスターと台紙とを接着剤などで一度封をしてしまうと、開封する際に台紙のブリスターとの接着部分に剥がれが生じてしまい、当然ながら再利用は不可能な状態になるという問題があった。
【０００４】
本発明は、このような従来技術の課題を解決するためになされたものであり、各種商品を収納する透明なブリスターと、製品説明等を記載した台紙とからなるブリスターパッケージにおいて、作業性がよく経済的なブリスターパッケージを提供することを目的とする。
【課題を解決するための手段】
【０００５】
前記課題を解決するため、本発明のブリスターパッケージは、正面視略四角形状をなし、裏面に商品を収納するための凹部を有するブリスターの、三つの外辺に形成した折り返し部に台紙を挿入してなるブリスターパッケージにおいて、前記ブリスターの三つの外辺と異なる他の一辺側に、台紙の外側に折り曲げられた段差部が形成されていることを特徴としている。かかる構成によれば、台紙の出し入れは、台紙の外側に形成されたブリスターの段差部近傍を弾性変形させ、開口することによって行う。その結果として、段差部が台紙のストッパーとして作用するため、他に固定手段を必要としない利便性の高いブリスターパッケージとすることができる。
【０００６】
また、前記ブリスターの厚さが０．５ｍｍ以上３ｍｍ以下であるとともに、前記台紙の厚さが２ｍｍ以上５ｍｍ以下であることが、前記段差部が確実に台紙のストッパーとなることに加えてブリスターパッケージの耐久性が得られる点で好ましい。
【発明の効果】
【０００７】
本発明のブリスターパッケージによれば、正面視略四角形状をなし、裏面に商品を収納するための凹部を有するブリスターの、三つの外辺に形成した折り返し部に台紙を挿入してなるブリスターパッケージにおいて、前記ブリスターの三つの外辺と異なる他の一辺側に、台紙の外側に折り曲げられた段差部が形成されている構成により、台紙の出し入れは、台紙の外側に形成されたブリスターの段差部近傍を弾性変形させ、開口することによって行うので、段差部が台紙のストッパーとして作用するため、他に固定手段を必要としない利便性の高いブリスターパッケージとすることができる。
【発明を実施するための最良の形態】
【０００８】
以下、本発明の実施形態を添付図面により説明する。
【０００９】
図１乃至図３は、本発明の一実施形態を示すものであり、図１は本実施形態によるブリスターパッケージの斜視図、図２は図１の底面図、図３（ａ）は台紙をブリスターに固定した状態を示す側面図、図３（ｂ）は段差部近傍を弾性変形させて折り返し部に台紙を出し入れ可能にした状態を示す側面図である。
【００１０】
図１において、本発明によるブリスターパッケージ１は、正面視略四角形状をなしており、裏面側に商品を収納するための凹部２を有する透明なブリスター３と台紙４とを具備している。また図２に示すように、ブリスター３の三つの外辺には、正面側から底面（裏面）側にかけて台紙４を挟み込むように折り曲げられた折り返し部５、６、７が形成されており、該折り返し部５、６、７と前記ブリスター３の裏面との間に台紙４が挿入されてなる。
【００１１】
一方、図３（ａ）に示すように、折り返し部５、６、７を有する外辺と異なる他の一辺には、前記折り返し部５、６、７に挿入された台紙４に覆いかぶさるように段差部８が形成されていて、該段差部８の壁面９によって台紙４の上端面１０がさえぎられている。すなわち、壁面９がストッパーとして作用し、台紙４がブリスター３から外れるのを防止している。また、前記段差部８の端部には、ブリスター３の主面（裏面）とほぼ平行で壁面９とほぼ垂直となるような平板部１１が形成されており、該平板部１１のほぼ中央位置には吊り下げ用穴が開口されており、ディスプレイ展示される場合の、フックにかけられる穴として使用される。ここで、ブリスター３は弾性変形可能な透明のプラスチック材料でできており、図３（ｂ）に示すように前記段差部８の近傍を弾性変形させ、前記平板部１１を矢印Ａの方向に上下させることによって、台紙４を矢印Ｂの方向に折り返し部（台紙スライド溝部）５、６に沿って出し入れする構成となっている。
【００１２】
なお、上述のような弾性変形作用を利用したブリスターパッケージ１とするためには、ブリスター３の厚さ（肉厚）が０．５ｍｍ以上３ｍｍ以下、台紙４の厚さが２ｍｍ以上５ｍｍ以下とすることがブリスター３および台紙４の強度を適度に保ちつつ、またストッパー効果を確実に得られるという点で好ましい。
【００１３】
すなわち、ブリスター３の厚さが０．５ｍｍ以上であると、特に金属や超硬合金等の比重が１０ｇ／ｃｍ３以上と大きな商品、中でもスローアウェイチップとそのホルダを包装する際に強度不足のため商品の重量に耐え切れずに容易に塑性変形しやすくなることがなく、また上端面１０が確実に段差部８の壁面９に突き当たって確実にストッパー機能が作用する。また、ブリスター３の厚さが３ｍｍ以下であることによって、容易に所望の形状に弾性変形させて商品の出し入れができる。一方、台紙４の厚さが２ｍｍ以上であることによって、壁面９に上端面１０が確実に当接することに加えて、台紙自体の強度も備えてブリスターパッケージ１の保形性を確保し、ストッパー作用を確実に機能させることができる。また、台紙４の厚さを５ｍｍ以下とすることによって、台紙４を出し入れするのに前記平板部１１を必要以上に持ち上げなければならず、その結果として当該部分に塑性変形が生じてブリスター３が曲がってしまい、壁面９がストッパーとして機能しなくなってしまうというようなことがなく、また、ブリスターパッケージ１自体をコンパクトにすることができる。
【００１４】
なお、図３（ｃ）に示すように、ブリスター３の他の形態としては、平板部１１が段差部８よりも先へ延長された突起部１２を有した構造であってもよく、かかる構造では台紙４の上端面１０がブリスター３にてコの字状に囲まれた構成となることから、さらに確実なストッパー機能、すなわち確実な製品保持が可能となる。
【００１５】
また図４には、本発明の他の実施形態によるブリスターパッケージの斜視図を示している。ディスプレイ展示される際にフックに吊り下げられる場合には図１に示したような吊り下げ用穴が開口した平板部を備えたブリスターパッケージが好適であるが、展示台に直置きされる場合には、図４に示しているような平板部を具備しないブリスターパッケージで構わない。ただし、一部分だけ段差部から突出した小平板部（図示せず）を設けておけば、台紙４の出し入れをするために段差部８近傍を弾性変形させやすくなり好適である。
【００１６】
さらに、図１、図４で示したブリスターパッケージでは、商品を収納するための凹部２が工具ホルダと少なくとも１個のスローアウェイチップとのセット品を収納する形態となっており、このような工具ホルダとそれに装着するスローアウェイチップとのセット品をパッケージ化することによりスローアウェイチップを誤って違うホルダに装着する等の人的ミスを防止することができる。
【００１７】
以上、本発明の実施形態を例示したが、本発明は前記実施形態に限定されるものではなく、発明の目的を逸脱しない限り任意のものとすることができることはいうまでもない。
【図面の簡単な説明】
【００１８】
【図１】本発明の一実施形態によるブリスターパッケージの斜視図である。
【図２】図１の底面図である。
【図３】（ａ）は台紙をブリスターに固定した状態を示す側面図、（ｂ）は段差部近傍を弾性変形させて折り返し部に台紙を出し入れ可能にした状態を示す側面図、（ｃ）ブリスターの他の実施形態を示す側面図である。
【図４】本発明の他の実施形態によるブリスターパッケージの斜視図である。
【符号の説明】
【００１９】
１  ブリスターパッケージ
２  凹部
３  ブリスター
４  台紙
５、６  折り返し部（台紙スライド溝部）
７  折り返し部（台紙受け溝部）
８  段差部
９  壁面
１０  上端面
１１  平板部
１２  突起部
Ａ  段差部近傍を弾性変形させる方向
Ｂ  台紙を折り返し部に沿って出し入れさせる方向
【図１】
2005132387.tif 000003
【図２】
2005132387.tif 000004
【図３】
2005132387.tif 000005
【図４】
2005132387.tif 000006